(57)【要約】【課題】  構成を複雑化することなくオーバードライブ化して、特に動画像表示を改善する。【解決手段】  ｉ行目の走査線３１２とｊ列目のデータ線２１２との交差に対応して設けられた画素１１６は、電気的に直列接続された画素容量１１８およびＴＦＤ２２０と、１行前に選択される（ｉ−１）行目の走査線３１２と画素容量１１８およびＴＦＤ２２０の接続点との間で電気的に介挿された補助容量１２０とを含む。ｉ行目の走査線３１２を選択したとき、ＴＦＤ２２０を導通状態とさせる選択電圧を印加し、この後、ＴＦＤ２２０を非導通状態とさせる非選択電圧を印加し、さらに、ｉ行目の走査線に印加した非選択電圧をシフトさせる。なお、ｊ列目のデータ線２１２には、選択された走査線に対応する画素に対し、当該画素の階調に対応した電圧のデータ信号Ｘｊが供給される。【選択図】      図２
2006163104.tif 000002
【特許請求の範囲】
【請求項１】
複数行の走査線と複数列のデータ線との交差に対応して設けられた画素を有し、
前記画素は、
対応する走査線と対応するデータ線の間で電気的に直列接続された画素容量およびスイ
ッチング素子と、
対応する走査線よりも１行前に選択される走査線と、前記画素容量および前記スイッチ
ング素子の接続点との間で電気的に介挿された補助容量と
を含む電気光学装置の駆動方法であって、
前記複数行の走査線を所定の順番で選択し、
一の走査線を選択したとき、前記スイッチング素子を導通状態とさせる選択電圧を印加
し、この後、前記スイッチング素子を非導通状態とさせる非選択電圧を印加し、さらに、
当該走査線の次に選択される走査線に選択電圧を印加した後に、一の走査線に印加した非
選択電圧をシフトさせる一方、
選択された走査線に対応する画素に対し、当該画素の階調に対応した電圧のデータ信号
を、データ線を介して供給する
ことを特徴とする電気光学装置の駆動方法。
【請求項２】
前記選択電圧を、所定の基準電位を中心に高位側の正極性と低位側の負極性とについて
１水平走査期間毎に交互に変化させるとともに、
同一の走査線について所定の期間毎に正極性と負極性とを交互に変化させる
ことを特徴とする請求項１に記載の電気光学装置の駆動方法。
【請求項３】
複数行の走査線と複数列のデータ線との交差に対応して設けられた画素と、
前記複数行の走査線を所定の順番で選択するとともに、一の走査線を選択したとき、前
記スイッチング素子を導通状態とさせる選択電圧を印加し、この後、前記スイッチング素
子を非導通状態とさせる非選択電圧を印加し、さらに、当該走査線の次に選択される走査
線に選択電圧を印加した後に、一の走査線に印加した非選択電圧をシフトさせる走査線駆
動回路と、
選択された走査線に対応する画素に対し、当該画素の階調に対応した電圧のデータ信号
を、データ線を介して供給するデータ線駆動回路と
を有し、
前記画素は、
対応する走査線と対応するデータ線の間で電気的に直列接続された画素容量およびスイ
ッチング素子と、
対応する走査線よりも前に選択される走査線と、前記画素容量および前記スイッチング
素子の接続点との間で電気的に介挿された補助容量と
を含むことを特徴とする電気光学装置。
【請求項４】
対応する走査線と、当該対応走査線よりも前に選択される走査線とにわたって対向する
画素電極と、
当該画素電極と両走査線とで挟持された液晶と
を含み、
前記画素容量は、対応する走査線と、当該対応走査線と前記画素電極との対向部分と、
両者で挟持される液晶との容量であり、
前記補助容量は、対応する走査線よりも前に選択される隣接走査線と、当該隣接走査線
と前記画素電極との対向部分と、両者で挟持される液晶との容量である
ことを特徴とする請求項３に記載の電気光学装置。
【請求項５】
前記スイッチング素子は、導電体／絶縁体／導電体の構造を有する
ことを特徴とする請求項４に記載の電気光学装置。
【請求項６】
請求項３乃至４のいずれかに記載の電気光学装置を備えることを特徴とする電子機器。
【発明の詳細な説明】
【技術分野】
【０００１】
本発明は、例えば液晶表示装置のような電気光学装置における動画表示の品位を改善す
る技術に関する。
【背景技術】
【０００２】
近年、液晶などの電気光学変化により表示を行う電気光学装置が、陰極線管（ＣＲＴ）
に代わるディスプレイ・デバイスとして各種電子機器やテレビジョンなどに広く用いられ
ている。しかしながら、この種の電気光学装置は、動画像の表示品位がＣＲＴ等と比較し
て低いという点が指摘されている。
そこで近年では、次のような駆動技術が提案されている。すなわち、この技術は、画素
電極とコモン電極との間で液晶を挟持した画素容量と電気的に平行となるように補助容量
（蓄積容量）を設けるとともに、詳細には、画素電極に一端が接続された補助容量を設け
るとともに、補助容量の他端を行毎に設けた容量線に共通接続して、当該画素容量に対す
る書き込みの後に、容量線の電位をシフトさせることによって、画素電極の電位を変化さ
せて、画素容量の駆動電圧として利用する、というものである（非特許文献１参照）。
【非特許文献１】木村  裕之  ほか１名、「携帯電話向けＬＣＤの最新技術」、月刊ディスプレイ、平成１６年６月号（Vol.10  No.6）、p.1-5
【発明の開示】
【発明が解決しようとする課題】
【０００３】
しかしながら、上記技術では、行毎に容量線を設けるだけでなく、これらの容量線を走
査線に同期して駆動する回路が走査線駆動回路とは別に必要となるので、開口率の低下や
構成の複雑化といった問題がある。
本発明は、上述した事情に鑑みてなされたものであり、その目的とするところは、開口
率の低下や構成の複雑化といった問題を回避しつつ、動画表示の品位を改善した電気光学
装置の駆動方法、電気光学装置および電子機器を提供することにある。
【課題を解決するための手段】
【０００４】
上記目的を達成するために本発明に係る電気光学装置の駆動方法は、複数行の走査線と
複数列のデータ線との交差に対応して設けられた画素を有し、前記画素は、対応する走査
線と対応するデータ線の間で電気的に直列接続された画素容量およびスイッチング素子と
、対応する走査線よりも１行前に選択される走査線と、前記画素容量および前記スイッチ
ング素子の接続点との間で電気的に介挿された補助容量とを含む電気光学装置の駆動方法
であって、前記複数行の走査線を所定の順番で選択し、一の走査線を選択したとき、前記
スイッチング素子を導通状態とさせる選択電圧を印加し、この後、前記スイッチング素子
を非導通状態とさせる非選択電圧を印加し、さらに、当該走査線の次に選択される走査線
に選択電圧を印加した後に、一の走査線に印加した非選択電圧をシフトさせる一方、選択
された走査線に対応する画素に対し、当該画素の階調に対応した電圧のデータ信号を、デ
ータ線を介して供給することを特徴とする。この方法によれば、開口率の低下や構成の複
雑化といった問題を回避しつつ、動画表示の品位を改善することが可能となる。
本発明において、前記選択電圧を、所定の基準電位を中心に高位側の正極性と低位側の
負極性とについて１水平走査期間毎に交互に変化させるとともに、同一の走査線について
所定の期間毎に正極性と負極性とを交互に変化させることが好ましい。
【０００５】
本発明は、電気光学装置の駆動方法のみならず、電気光学装置としても概念することが
できる。電気光学装置として概念する場合、対応する走査線と、当該対応走査線よりも前
に選択される走査線とにわたって対向する画素電極と、当該画素電極と両走査線とで挟持
された液晶とを含み、前記画素容量は、対応する走査線と、当該対応走査線と前記画素電
極との対向部分と、両者で挟持される液晶との容量であり、前記補助容量は、対応する走
査線よりも前に選択される隣接走査線と、当該隣接走査線と前記画素電極との対向部分と
、両者で挟持される液晶との容量である構成が好ましい。また、前記スイッチング素子は
、導電体／絶縁体／導電体の構造を有する構成が好ましい。
本発明は、さらに当該電気光学装置を備える電子機器としても概念することができる。
【発明を実施するための最良の形態】
【０００６】
以下、本発明の実施の形態について図面を参照して説明する。図１は、本発明の実施形
態に係る電気光学装置の構成を示すブロック図である。
この図に示されるように、電気光学装置１０は、液晶パネル１００、データ線駆動回路
２５０、走査線駆動回路３５０および制御回路４００を含む。
このうち、液晶パネル１００には、２４０本のデータ線（セグメント電極）２１２が列
（Ｙ）方向に延在する一方、３２２行の走査線（コモン電極）３１２が行（Ｘ）方向に延
在するように設けられている。画素１１６は、詳細については後述するが、データ線２１
２と、３１２行のうち、図において最上行および最下行を除く走査線３１２との交差に対
応して、それぞれ配列している。したがって、本実施形態では、画素１１６が、縦３２０
行×横２４０列でマトリクス状に配列するが、本発明をこれに限定する趣旨ではない。
なお、最上行および最下行の走査線３１２には、画素１１６が設けられないので、走査
線としてはダミーとなるが、便宜上、最上行の走査線３１２については０行目とし、最下
行の走査線３１２については３２１行目として説明することにする。
【０００７】
制御回路４００は、ラッチパルスＬＰや、極性指示信号ＰＯＬ、スタートパルスＤＹお
よびクロック信号ＣＬＹ等によって液晶パネル１００の走査を制御するものである。なお
、走査制御の内容は、その都度説明することにする。
【０００８】
走査線駆動回路３５０は、０行目、１行目、２行目、３行目、…、３２０行目、３２１
行目の走査線３１２に、それぞれ走査信号Ｙ０、Ｙ１、Ｙ２、Ｙ３、…、Ｙ３２０、Ｙ３
１２を供給するものである。
詳細には、走査線駆動回路３５０は、図５に示されるように、垂直走査期間（１Ｆ）の
最初に供給されるスタートパルスＤＹを、例えば１周期が１水平走査期間（１Ｈ）である
クロック信号ＣＬＹの立ち上がりにて順次取り込んでシフトするとともに、これらのシフ
ト信号を走査線３１２の各々に対応させる。そして、走査線駆動回路３５０は、ある１水
平走査期間において、あるシフト信号がＨレベルになると、当該シフト信号に対応する走
査線３１２に対し、次のように電圧を選択して印加する。
すなわち、走査線駆動回路３５０は、Ｈレベルとなったシフト信号に対応する走査線３
１２に対し、選択された１水平走査期間において極性指示信号ＰＯＬがＨレベルであれば
、当該１水平走査期間にわたって正極性選択電圧＋ＶＳをセレクトし、この後、１．５水
平走査期間にわたって正極性非選択電圧＋Ｖｄをセレクトし、さらに、当該非選択電圧＋
Ｖｄよりも電圧Ｖａだけ高位側にシフトさせた電圧（＋Ｖｄ＋Ｖａ）をセレクトして、セ
レクトした電圧を当該走査線３１２に印加する一方、選択された１水平走査期間において
極性指示信号ＰＯＬがＬレベルであれば、当該１水平走査期間にわたって負極性選択電圧
−ＶＳをセレクトし、この後、１．５水平走査期間にわたって負極性非選択電圧−Ｖｄを
セレクトし、さらに、当該非選択電圧−Ｖｄよりも電圧Ｖａだけ低位側にシフトさせた電
圧（−Ｖｄ−Ｖａ）をセレクトして、セレクトした電圧を当該走査線３１２に印加する。
なお、本実施形態では、非選択電圧＋Ｖｄ、−Ｖｄの印加期間が１水平走査期間の１Ｈ
以上であれば良いので、当該期間を１．５Ｈとしている。また、本実施形態において電圧
の基準はＶＣ（＝０）であり、この電圧ＶＣよりも高位側が正極性であり、低位側が負極
性である。
【０００９】
ここで、極性指示信号ＰＯＬは、Ｈレベルであれば正極性書込を指定し、Ｌレベルであ
れば負極性書込を指定する信号であり、同図に示されるように、１水平走査期間（１Ｈ）
毎に極性反転するとともに、隣接する１垂直走査期間（１Ｆ）同士において同一の水平走
査期間に着目しても極性反転する。スタートパルスＤＹ、クロック信号ＣＬＹ、極性指示
信号ＰＯＬは、上述した制御回路４００から供給される。
【００１０】
次に、このような走査線駆動回路３５０による走査信号Ｙ０、Ｙ１、Ｙ２、Ｙ３、…、
Ｙ３２０、Ｙ３２１の電圧波形について説明する。
図５に示されるように、０行目の走査線３１２への走査信号Ｙ０が、１水平走査期間に
わたって、極性指示信号ＰＯＬのＨレベルに対応して正極性選択電圧＋ＶＳとなり、その
後、正極性非選択電圧＋Ｖｄを１．５水平走査期間だけ保持し、その後、電圧（＋Ｖｄ＋
Ｖａ）にシフトする場合に、１垂直走査期間（１Ｆ）経過して、当該０行目の走査線３１
２が再び選択されたときには、極性指示信号ＰＯＬのレベルが前回の選択とは論理反転し
たＬレベルになるので、当該走査信号Ｙ０は、負極性選択電圧−ＶＳとなり、その後、負
極性非選択電圧−Ｖｄを１．５水平走査期間だけ保持して、電圧（−Ｖｄ−Ｖａ）にシフ
トすることになり、以下このサイクルの繰り返しとなる。
また、極性指示信号ＰＯＬは、１水平走査期間（１Ｈ）毎に論理レベルが反転するので
、各走査線３１２に供給される走査信号は、１水平走査期間（１Ｈ）毎に、すなわち、走
査線３１２の１行毎に交互に極性が反転する関係となる。例えばあるフレームにおいて、
０行目の走査信号Ｙ０の選択電圧が正極性選択電圧＋ＶＳであれば、１水平走査期間経過
した後において、１行目の走査信号Ｙ１の選択電圧は負極性選択電圧−ＶＳとなり、さら
に、１水平走査期間経過した後において、２行目の走査信号Ｙ２の選択電圧は正極性選択
電圧＋ＶＳとなる。
【００１１】
一方、図示せぬ上位装置から、階調データＤａがデータ線駆動回路２５０に供給される
。ここで、階調データＤａとは、画素１１６の階調値（明るさ）を６ビットで指定するデ
ータであり、画素１１６の階調値を十進値の「０」から「６３」までの６４段階で指定す
る。詳細には、６ビットの階調データＤｄが「０」（二進値では“００００００”）であ
る場合に最も暗い黒色の表示を指定し、６ビットの十進値が増加するにつれて徐々に明る
くなるようにように階調を指定して、６ビットの十進値が「６３」（２進値では“１１１
１１１”）である場合に最も明るい白色の表示を指定するものとする。さらに、液晶パネ
ル１００が電圧無印加状態において白表示をするノーマリーホワイトモードであるとする
。
【００１２】
このような前提において、データ線駆動回路２５０は、走査線駆動回路３５０により選
択された走査線３１２に位置する画素１１６の階調値を指定する階調データＤａを、当該
階調値に応じたパルス幅の電圧±Ｖｄを有するデータ信号に変換し、対応するデータ線２
１２に、ラッチパルスＬＰで規定された１水平走査期間にわたって供給する。この供給動
作を、データ線駆動回路２５０は、１行目から３２０行目までの走査線３１２が選択され
たときに、選択走査線３１２に位置する２４０列のそれぞれについて実行する。そこで、
１列目、２列目、３列目、…、２４０列目のデータ線２１２に供給されるデータ信号を、
それぞれＸ１、Ｘ２、Ｘ３、…、Ｘ２４０と表記する。
【００１３】
データ信号の波形と階調データＤａとの関係について図６を参照して説明する。図６は
、ｊ列目（ｊは１≦ｊ≦２４０を満たす整数）のデータ線２１２に供給されるデータ信号
Ｘｊの電圧波形と、選択された走査線３１２に位置する画素１１６に対応する階調データ
Ｄａとの関係を示す図である。
この図に示されるように、データ線駆動回路２５０は、１水平走査期間において正極性
の選択電圧＋ＶＳが印加される場合、当該選択電圧＋ＶＳに位置するｊ列目の画素１１６
に対応する階調データＤａが当該画素を暗くなるように指定するにつれて、当該選択電圧
＋ＶＳとは逆極性の電圧−Ｖｄの印加期間を長くする一方、１水平走査期間において負極
性の選択電圧−ＶＳが印加される場合、階調データＤａが当該画素を暗くなるように指定
するにつれて、当該選択電圧−ＶＳとは逆極性の電圧＋Ｖｄの印加期間を長くする。
なお、図６におけるハッチングは、選択電圧が印加される期間において、データ信号が
、画素を暗くさせるオン電圧となる期間（パルス幅）を示しており、いずれも１水平走査
期間の終端を基準として、そのパルス幅が時間的に前方に延びた形となっている。また、
図６では代表的な階調値だけを表示している。
【００１４】
次に、画素１１６の構成について説明する。図２は、画素１１６の電気的な構成を示す
図であり、図３は、画素１１６の平面的な構成を示す図であり、図４は、画素１１６の構
造を示すための液晶パネル１００の部分破断斜視図である。
このうち、図２および図３では、ｉ行目の走査線３１２、および、これとは上側に隣接
する（ｉ−１）行目の走査線３１２と、ｊ列目のデータ線２１２、および、これとは左側
に隣接する（ｊ−１）列目のデータ線２１２との交差に対応する２×２の計４画素分の構
成が示されている。なお、ｉ、（ｉ−１）は、画素１１６が配列する走査線を一般的に示
す場合の記号であり、１以上３２０以下の整数である。
【００１５】
図２において、各画素１１６は、データ線２１２と、０および３２１行目を除く走査線
３１２との交差に対応して設けられ、画素容量１１８と、補助容量１２０と、二端子型ス
イッチング素子の一例であるＴＦＤ（Thin Film Diode：薄膜ダイオード）２２０とを有
する。
ｉ行ｊ列に位置する画素１１６において、ＴＦＤ２２０の一端はｊ列目のデータ線２１
２に接続される一方、同ＴＦＤ２２０の他端は画素容量１１８の一端および補助容量１２
０の一端にそれぞれ接続されている。さらに、ｉ行ｊ列の画素１１６において、画素容量
１１８の他端はｉ行目の走査線３１２に接続され、補助容量１２０の他端は、対応するｉ
行目よりも１水平走査期間１Ｈ前に選択される（ｉ−１）行目の走査線３１２に接続され
ている。
【００１６】
次に、図３および図４を参照して、画素１１６の詳細について説明する。これらの図に
示されるように、液晶パネル１００は、基板２００、３００が一定の間隙を保って電極面
が互いに対向するとともに、当該間隙に液晶１６０が挟持された構成となっている。基板
２００の対向面には、ＩＴＯ（Indium Tin Oxide）などの透明導電体からなる画素電極２
３４がマトリクス状に配列しており、このうち、同一列にて配列された画素電極２３４が
、１本のデータ線２１２に、それぞれＴＦＤ２２０を介して共通接続されている。
一方、基板３００の対向面には、ＩＴＯなどからなる走査線３１２が、データ線２１２
とは直交する行方向に延在して、対向電極として機能している。
ここで、ｉ行ｊ列に位置する画素１１６における画素電極２３４は、ｉ行目の走査線３
１２と対向する画素容量領域と、（ｉ−１）行目の走査線３１２と対向する補助容量領域
とを有する。このため、ｉ行ｊ列の画素１１６における画素容量１１８は、画素電極２３
４のうち、画素容量領域とｉ行目の走査線３１２と、両者の間に挟持された液晶１６０と
によって構成される一方、同行同列の画素１１６における補助容量１２０は、画素電極２
３４のうち、補助容量領域と（ｉ−１）行目の走査線３１２と、両者の間に挟持された液
晶１６０とによって構成されることになる。
【００１７】
なお、特に図示しないが、コントラスト比が低下するのを防止するために、補助容量１
２０を通過する光が観察者に視認されないように、遮光膜が基板２００、３００の側の少
なくともいずれか一方に設けられる。逆にいえば、観察者には、画素容量１１８を通過す
る光だけが視認されるように構成されている。
【００１８】
一方、ＴＦＤ２２０は、基板側からみると、タンタル単体やタンタル合金などから形成
され、かつ、データ線２１２からＴ字状に枝分かれした第１の導電体２２２と、この第１
の導電体２２２を陽極酸化させた絶縁体２２４と、クロム等などの第２の導電体２２６と
から構成されて、導電体／絶縁体／導電体のサンドイッチ構造となっている。このため、
ＴＦＤ２２０は、電流−電圧特性が正負双方向にわたって非線形となるダイオードスイッ
チング特性を有することになる。
【００１９】
次に、このような構成にかかる電気光学装置において、画素容量への書き込みについて
説明する。図７は、ｉ行ｊ列の画素容量１１８において対向電極として機能する走査線（
走査信号Ｙｉ）と画素電極２３４との電圧波形を示す図である。
ｉ行目の走査線３１２が選択されて、タイミングｔ１からｔ２までの１水平走査期間に
わたって負極性の選択電圧−ＶＳが印加されると、ｊ列目のデータ線２１２に印加されて
いるデータ信号Ｘｊの電圧にかかわらず、当該走査線３１２および当該データ線２１２の
交差に対応するＴＦＤ２２０が強制的に導通状態（オン）となる。一方、この水平走査期
間においてｊ列目のデータ線２１２には、ｉ行ｊ列の画素の階調値に応じてデータ電圧＋
Ｖｄおよび−Ｖｄの印加期間の配分が規定されたデータ信号Ｘｊが供給されるが、液晶１
６０における応答特性のために、画素電極２３４の電圧は、急峻に変化せず、比較的ゆっ
くりと変化する。
【００２０】
次に、タイミングｔ２においてｉ行目の走査線３１２に対する選択が完了して、走査信
号Ｙｉが、負極性に対応する非選択電圧−Ｖｄに変化すると、当該走査線３１２および当
該データ線２１２の交差に対応するＴＦＤ２２０が非導通状態（オフ）となる。このため
、画素電極２３４の電圧も、当該走査信号の電圧変化方向にシフトする。
【００２１】
一方、（ｉ−１）行目の走査線３１２に対応する走査信号Ｙ（ｉ−１）については、当
該（ｉ−１）行目の走査線３１２の選択が終了するタイミングｔ１から１．５水平走査期
間経過したタイミングｔ３、すなわち、タイミングｔ２からみれば０．５水平走査期間経
過したタイミングｔ３において、正極性の非選択電圧＋ＶＳから電圧＋Ｖａだけ高位側に
シフトする。
（ｉ−１）行目の走査線３１２には、ｉ行目に位置する画素１１６の補助容量１２０の
他端がそれぞれ接続されているので、ｉ行ｊ列の画素電極２３４の電圧は、当該補助容量
１２０を介し、（ｉ−１）行目の走査線３１２の電圧シフト方向に変化する。
ここで、画素電極２３４の電圧シフト分をΔＶとし、画素容量１１８、補助容量１２０
およびＴＦＤ２２０の容量成分を、それぞれＣｐｉｘ、ＣａｄｄおよびＣＴＦＤと表記す
ると、ΔＶについては、
ΔＶ＝Ｖａ×Ｃａｄｄ／（Ｃａｄｄ＋Ｃｐｉｘ＋ＣＴＦＤ）……（式１）
と表すことができる。
（ｉ−１）行目の走査線の電圧シフト方向は、ｉ行目の走査線からみれば、選択完了直
後における選択電圧−ＶＳの負極性とは逆方向、すなわち、正極性方向であるので、画素
電極２３４における電圧シフト分ΔＶは、画素容量１１８における電圧差を拡大する方向
に作用する。
【００２２】
ｉ行目の走査線３１２の選択が終了するタイミングｔ２から１．５水平走査期間経過し
たタイミングｔ４において、走査信号Ｙｉは、負極性の非選択電圧−ＶＳから電圧−Ｖａ
だけ低位側にシフトするが、この電圧シフトに伴って、画素電圧２３４の電位も同方向低
位側にシフトするので、電圧差が拡大した状態が次の選択電圧が印加されるまで維持され
る。なお、この走査信号Ｙｉの電圧シフトによって、（ｉ＋１）行の走査線３１２の画素
容量１１８における電圧差が拡大する。
走査信号Ｙｉが、正極性の選択電圧＋Ｖｓが印加される垂直走査期間においても、電圧
方向が逆である点を除けば、全く同様な動作がなされて、画素容量１１８における電圧差
が拡大することになる。
このように画素容量１１８における対向電極（走査線３１２）と画素電極２３４都の電
圧差が拡大することは、電圧実効値が増加することにほかならない。なお、式１を参照し
ても判るように、画素容量Ｃｐｉｘが小さいほど、電圧Ｖａに対して、ΔＶを大きくする
ことができる。
【００２３】
一般に、画素容量１１８は、ノーマリーホワイトモードであれば、明状態となるほど容
量成分Ｃｐｉｘが小さくなることが知られているが、本実施形態では、画素容量１１８が
明状態から暗状態に変化し終わるまでの過渡期間において、画素電極２３４の電圧シフト
分ΔＶに、画素容量差に相当する過剰分が加わるので、いわゆるオーバードライブ状態と
なり、明→暗の応答時間が改善されることになる。これとは逆の暗→明についても同様に
応答時間が改善される。したがって、本実施形態では、このオーバードライブによって動
画をより自然なものへ表示することが可能となる。
【００２４】
また、本実施形態では、このようなオーバードライブを実現するために画素１１６につ
いて施した改良は、画素電極２３４の形状を変更したのみである。すなわち、オーバード
ライブしない従来構成は、補助容量１２０が存在しないものであって、画素電極２３４が
、対応するストライプ状の対向電極としての走査線（後述するようにデータ線）だけに対
向するような矩形形状としたものであったが、本実施形態では、画素電極２３４の一部が
１行前の選択される走査線にも対向するように形状変更しただけである。
一方、（ｉ−１）行目の走査線に供給する走査信号については、選択電圧を印加した後
の非選択電圧を、ｉ行目の走査線に印加された選択電圧の極性とは逆極性に方向にシフト
させる構成となっている。これによって、ｉ行目の画素容量１１８の電圧実効値を増加さ
せている。
このため、本実施形態によれば、画素の構成が複雑化することなく、さらに、補助容量
を行毎に制御するために、走査線３１２とは別の制御線を設ける必要もないので、簡易な
構成によって、上述したオーバードライブによる動画表示品位の改善という恩恵を受ける
ことができる。
【００２５】
次に、電気光学装置１０の応用例について説明する。図８は、応用例に係る電気光学装
置１０の構成を示すブロック図である。この応用例が、実施形態と相違する点は、第１に
、走査線３１２が、偶数行用の走査線駆動回路３５２と、奇数行用の走査線駆動回路３５
４とにそれぞれ分けられて駆動される点と、第２に、制御回路４００が偶数行用の走査線
駆動回路３５２に信号ＹＳevを供給する一方、奇数行用の走査線駆動回路３５４に信号Ｙ
Ｓodを供給する点と、第３に、走査線駆動回路３５２、３５４による走査信号波形を変更
した点とにある。なお、偶数行には最上行の０行目が含まれる。
【００２６】
ここで、信号ＹＳevは、図９に示されるように、ある１垂直走査期間では、偶数行の走
査信号において選択電圧±ＶＳの一方と、当該選択電圧に対応する電圧±Ｖａのいずれか
一方とを１水平走査期間毎に交互に切り替わる信号である。信号ＹＳevは、次の垂直走査
期間では、選択電圧±ＶＳの一方から他方へ、当該選択電圧に対応する電圧±Ｖａのいず
れか他方へ、それぞれ切り替わる。
信号ＹＳodは、ある１垂直走査期間では、奇数行の走査信号において選択電圧±ＶＳの
他方と、当該選択電圧に対応する電圧±Ｖａのいずれか他方とを１水平走査期間毎に交互
に切り替わる信号であり、信号ＹＳevが選択電圧±ＶＳの一方となる場合に、電圧±Ｖａ
のいずれか他方になり、信号ＹＳevが電圧±Ｖａの一方となる場合に、選択電圧±Ｖｄの
いずれか他方になる関係にある。信号ＹＳodについても、次の垂直走査期間では、選択電
圧±ＶＳの他方から一方へ、当該選択電圧に対応する電圧±Ｖａのいずれか一方へ、それ
ぞれ切り替わる。
【００２７】
応用例にかかる走査信号波形について同図を参照して説明する。この図に示されるよう
に、応用例では、走査線が選択されて正極性の選択電圧＋ＶＳが１水平走査期間にわたっ
て印加された場合には、当該選択後に電圧−Ｖａが１水平走査期間にわたって印加されて
、その後、中心電圧ＶＣにシフトする一方、負極性の選択電圧−ＶＳが１水平走査期間に
わたって印加された場合には、当該選択後に電圧＋Ｖａが１水平走査期間にわたって印加
されて、その後、電圧基準のＶＣにシフトする。
ここで、電圧±Ｖａは、いずれも非選択電圧である。このため、応用例においては、選
択電圧印加直後から電圧シフトまでにおける非選択電圧の印加期間が１水平走査期間（１
Ｈ）であり、実施形態と比較して短くなっているが、電圧シフト量はＶａであり、実施形
態と相違はない。
【００２８】
この応用例においても、実施形態と同様に、ダミーも含めて０、１、２、３、…、３２
０、３２１行目の順番で走査線３１２を選択するとともに、選択した走査線に選択電圧＋
ＶＳ、−ＶＳを交互に印加する。
ここで、応用例においては０、２、４、…、３２０行目の走査線３１２については走査
線駆動回路３５２が走査信号Ｙ０、Ｙ２、Ｙ４、…、Ｙ３２０を供給し、１、３、５、…
、３２１行目の走査線３１２については走査線駆動回路３５４が走査信号Ｙ１、Ｙ３、Ｙ
５、…、Ｙ３２１を供給するので、走査線の選択は、走査線駆動回路３５２、３５４によ
って１水平走査期間毎に交互になされるとともに、１垂直走査期間において、走査線駆動
回路３５２の選択極性は正極性または負極性の一方で固定され、走査線駆動回路３５４の
選択極性は正極性または負極性の他方で固定される。
さらに、走査線駆動回路３５２、３５４においても、走査線３１２を１行選択すると、
次の走査線を選択するまで、１水平走査期間（１Ｈ）の時間が空くことになる。
【００２９】
これらの点を考慮して、走査線駆動回路３５２、３５４は、次のようにして上述した走
査信号を生成することができる。
すなわち、走査線駆動回路３５２は、偶数行の走査線３１２を０、２、４、…、３２０
行目という順番で２水平走査期間２Ｈずつの期間毎に選択するとともに、選択した走査線
３１２に対しては、２水平走査期間２Ｈにわたって信号ＹＳevをセレクトし、それ以外の
期間では、電圧ＶＣをセレクトする。
一方、走査線駆動回路３５４は、奇数行の走査線３１２を１、３、５、…、３２１行目
という順番で、走査線駆動回路３５２の選択に対し１水平走査期間だけ遅延したタイミン
グにて２水平走査期間２Ｈずつの期間毎に選択するとともに、選択した走査線３１２に対
しては、２水平走査期間２Ｈにわたって信号ＹＳodをセレクトし、それ以外の期間では、
電圧ＶＣをセレクトする。
【００３０】
ここで、走査線を２水平走査期間にわたって選択すると、偶数行と奇数行とで選択が１
水平走査期間ずつオーバーラップするが、信号ＹＳev、ＹＳodでは同時に選択電圧をセレ
クトすることはないので、２水平走査期間のうち、実際に選択電圧が印加されるのは、半
分の１水平走査期間だけである。このため、選択電圧の印加期間がオーバーラップするこ
とはない。
このように、応用例における走査線駆動回路３５２によれば、信号ＹＳevまたは電圧Ｖ
Ｃのいずれかを、偶数行の走査線の選択に応じてセレクトするだけであり、同様に、走査
線駆動回路３５４によれば、信号ＹＳodまたは電圧ＶＣのいずれかを、奇数行の走査線の
選択に応じてセレクトするだけで済むので、構成をより簡易化することが可能となる。
【００３１】
上述した実施形態や応用例では、選択電圧の極性を１水平走査期間毎に反転させたが、
１垂直走査期間にわたって固定化して、走査線の選択電圧極性を各行にわたっても揃えて
も良い（ただし、周期的に例えば１垂直走査期間毎に極性反転する必要はある）。このよ
うに固定化する場合、走査信号において非選択電圧に変化した後の電圧シフト方向が逆と
なるが、（ｉ−１）行目の走査線電圧のシフト方向は、ｉ行目の走査線からみれば、選択
完了直後における選択電圧の極性とは逆方向となって、画素容量１１８における電圧差を
拡大する方向に、画素電極２３４の電位をシフトさせる点において何ら変わりはない。
【００３２】
また、実施形態にあっては、画素電極２３４を、対応する行の走査線３１２のみならず
、１行前の走査線３１２にも一部が対向するような形状とすることで、補助容量１２０を
構成したが、これに限られず、別途の容量を設けることで構成しても良い。
【００３３】
また、実施形態では、データ線２１２側にＴＦＤ２２０が形成され、その先に画素電極
２３４が形成され、この画素電極２３４と対向する走査電極３１２が液晶層を挟んで画素
容量を形成するとともに、隣の走査線と液晶層を挟んで補助容量を形成する構成となって
いるが、走査線側にＴＦＤ２２０が形成され、その先に画素電極２３４が形成され、この
画素電極２３４と対向するデータ電極２１２が液晶層を挟んで画素容量を形成するととも
に、隣の走査電極と絶縁層を挟んで補助容量を形成する構成としてもよい。ただし、この
構成では、非選択電圧のシフト方向を上述とは逆の方向にする。これによって、同様の効
果が得られる。
【００３４】
また、実施形態や応用例にあっては、オン電圧を時間的に後方に寄せて印加する後縁駆
動を採用したが、これに限られず、オン電圧を時間的に前方に寄せて印加する前縁駆動を
採用しても良い。
上述した実施形態た応用例にあっては、１水平走査期間（１Ｈ）にわたって、選択電圧
を印加する構成としたが、１水平走査期間を前半および後半期間に分けて、このうち、い
ずれかの期間に選択電圧を印加する一方、データ信号として、選択電圧の印加期間にわた
って階調値に応じたパルス幅のオン電圧とし、残りの期間にわたって反転電圧を供給する
構成（いわゆる０．５Ｈセレクト）としても良い。
さらに、実施形態では、電圧無印加状態において白色を表示するノーマリーホワイトモ
ードであるとしたが、電圧無印加状態において黒色を表示するノーマリーブラックモード
としても良い。なお、ノーマリーブラックモードであれば、選択電圧の印加期間において
パルス幅が長いほど、画素が明るくなる。
また、６４階調表示に限らず、これによりも低階調表示としても良いし、これよりも高
階調表示としても良い。さらに、Ｒ（赤）、Ｇ（緑）、Ｂ（青）の３画素で１ドットを構
成して、カラー表示を行うとしても良い。
【００３５】
液晶パネル１００は透過型に限られず、反射型や、両者の中間的な半透過半反射型であ
っても良い。また、液晶パネル１００において、ＴＦＤ２２０は、データ線２１２の側に
接続され、画素容量１１８が走査線３１２の側に接続されているが、これとは逆に、ＴＦ
Ｄ２２０が走査線３１２の側に、画素容量１１８がデータ線２１２の側にそれぞれ接続さ
れる構成でも良い。
一方、ＴＦＤ２２０は、スイッチング素子の一例であり、他に、ＺｎＯ（酸化亜鉛）バ
リスタや、ＭＳＩ（Metal Semi-Insulator）などを用いた素子のほか、これら素子を２つ
逆向きに直列接続または並列接続したものなどがスイッチング素子として用いることが可
能である。
【００３６】
実施形態では、液晶としてＴＮ型を適用して説明したが、ＳＴＮ型や、分子の長軸方向
と短軸方向とで可視光の吸収に異方性を有する染料（ゲスト）を一定の分子配列の液晶（
ホスト）に溶解して、染料分子を液晶分子と平行に配列させたゲストホスト型などの液晶
を用いても良い。くわえて、電圧無印加時には液晶分子が両基板に対して垂直方向に配列
する一方、電圧印加時には液晶分子が両基板に対して水平方向に配列する、という垂直配
向（ホメオトロピック配向）の構成としても良いし、電圧無印加時には液晶分子が両基板
に対して水平方向に配列する一方、電圧印加時には液晶分子が両基板に対して垂直方向に
配列する、という平行（水平）配向（ホモジニアス配向）の構成としても良い。
【００３７】
次に、上述した実施形態に係る電気光学装置１０を表示装置として有する電子機器につ
いて説明する。図１０は、実施形態に係る電気光学装置１０を用いた携帯電話１２００の
構成を示す斜視部である。
この図に示されるように、携帯電話１２００は、複数の操作ボタン１２０２のほか、受
話口１２０４、送話口１２０６とともに、上述した液晶パネル１００を備えるものである
。なお、電気光学装置１０のうち、液晶パネル１００以外の構成要素については電話器に
内蔵されるので、外観としては現れない。  
【００３８】
なお、電気光学装置１０が適用される電子機器としては、図１０に示される携帯電話の
他にも、デジタルスチルカメラや、ノートパソコン、液晶テレビ、ビューファインダ型（
またはモニタ直視型）のビデオレコーダ、カーナビゲーション装置、ページャ、電子手帳
、電卓、ワードプロセッサ、ワークステーション、テレビ電話、ＰＯＳ端末、タッチパネ
ルを備えた機器等などが挙げられる。そして、これらの各種電子機器の表示装置として、
上述した電気光学装置１０が適用可能であることは言うまでもない。そして、いずれの電
子機器においても、走査信号の波形鈍りを整形することによって、表示品位の低下を抑え
て高品位の表示が簡易な構成によって実現されることになる。
【図面の簡単な説明】
【００３９】
【図１】本発明の実施形態に係る電気光学装置の構成を示すブロック図である。
【図２】同電気光学装置における画素の構成を示す等価回路図である。
【図３】同電気光学装置における画素の構成を示す平面図である。
【図４】同電気光学装置における画素の構成を示す部分破断斜視図である。
【図５】同電気光学装置における走査線駆動回路による走査信号を示す図である。
【図６】同電気光学装置におけるデータ線駆動回路によるデータ信号を示す図である。
【図７】同電気光学装置の動作を説明するための図である。
【図８】本発明の応用例に係る電気光学装置の構成を示すブロック図である。
【図９】同電気光学装置における走査線駆動回路による走査信号を示す図である。
【図１０】実施形態に係る電気光学装置を用いた携帯電話の構成を示す図である。
【符号の説明】
【００４０】
１００…液晶パネル、１１６…画素、１１８…画素容量、１２０…補助容量、１６０…
液晶、２１２…データ線、２２０…ＴＦＤ、２３４…画素電極、２５０…データ線駆動回
路、３１２…走査線、３５０…走査線駆動回路、４００…制御回路、１２００…携帯電話
【図１】
2006163104.tif 000003
【図２】
2006163104.tif 000004
【図３】
2006163104.tif 000005
【図４】
2006163104.tif 000006
【図５】
2006163104.tif 000007
【図６】
2006163104.tif 000008
【図７】
2006163104.tif 000009
【図８】
2006163104.tif 000010
【図９】
2006163104.tif 000011
【図１０】
2006163104.tif 000012